(57)【特許請求の範囲】
【請求項１】
音声信号を入力して周囲の騒音がキャンセルされた音声を聞くことができる騒音キャンセルヘッドフォンにおいて、
前記音声信号が正入力部に入力されマイクアンプからの信号が負入力部に入力されてその差分が出力される信号加算部、前記信号加算部の出力信号を１より小さい異なる増幅率で増幅する複数のアンプ、前記信号加算部の出力信号乃至前記複数のアンプの出力信号のいずれかを選択して出力する開ループゲイン切替手段、前記開ループゲイン切替手段からの信号を入力し増幅して出力するヘッドフォンアンプ、前記ヘッドフォンアンプの出力信号を入力して音声を発生するスピーカ、前記スピーカで発生された音声と周囲の騒音を集音して電気信号に変換して出力するマイク、前記マイクの出力信号を入力し前記信号加算部の負入力部に帰還する前記マイクアンプ、により構成された周囲の騒音をキャンセルするための騒音キャンセルフィードバック制御回路と、
前記音声信号のレベルを検出する音声信号レベル検出手段と、
前記ヘッドフォンアンプの出力を遮断して前記マイクアンプの出力を基に周囲の騒音レベルのみを検出する騒音レベル検出手段と、
を備え、
前記音声信号の信号レベルが所定値を下回ることを前記音声信号レベル検出手段が検出したとき、前記開ループゲイン切替手段は前記騒音レベル検出手段で検出された前記騒音レベルに応じて前記複数のアンプの出力信号の中のいずれか１つを選択するように切り替えることを特徴とする騒音キャンセルヘッドフォン。
【請求項２】
前記音声信号レベル検出手段は、音声信号再生装置が再生モードになったとき前記音声信号が再生され前記音声信号再生装置が再生停止モードになったとき前記音声信号を再生しないことを利用して前記再生停止モードを検出することにより前記音声信号の前記信号レベルが前記所定値を下回ることを検出する再生モード／再生停止モード検出手段であり、
前記再生モード／再生停止モード検出手段が前記再生停止モードを検出したとき、前記開ループゲイン切替手段は前記騒音レベル検出手段で検出された前記騒音レベルに応じて前記複数のアンプの出力信号の中のいずれか１つを選択するように切り替えることを特徴とする請求項１に記載の騒音キャンセルヘッドフォン。
【請求項３】
前記音声信号レベル検出手段は、入力された前記音声信号の前記信号レベルを検出する入力音声信号レベル検出手段であり、
前記開ループゲイン切替手段は、前記入力音声信号レベル検出手段により前記音声信号の前記信号レベルが前記所定値を下回ることを検出したとき、前記開ループゲイン切替手段は前記騒音レベル検出手段が検出した前記騒音レベルに応じて前記複数のアンプの出力信号の中のいずれか１つを選択するように切り替えることを特徴とする請求項１に記載の騒音キャンセルヘッドフォン。
【請求項４】
前記音声信号の前記信号レベルが前記所定値を下回ることを前記入力音声信号レベル検出手段が検出したとき、前記開ループゲイン切替手段は、前記騒音レベルが予め定めた騒音判定レベルより小さいとき前記騒音レベルが前記騒音判定レベルより大きいときよりも前記騒音キャンセルフィードバック制御回路の開ループゲインが小さくなるように切り替えることを特徴とする請求項１乃至請求項３のいずれか一項に記載の騒音キャンセルヘッドフォン。
【請求項５】
前記開ループゲイン切替手段は、
前記騒音キャンセルフィードバック制御回路のフィードバックループ内に配置され、
前記音声信号再生装置の再生モード時に信号のレベルを変えないで伝達する第１の経路と、
前記再生停止モード時であって前記騒音レベルが予め定めた騒音判定レベルを上回るとき前記第１の経路より信号のレベルを小さくして伝達する第２の経路と、
前記再生停止モード時であって前記騒音レベルが予め定めた前記騒音判定レベルを下回るとき前記第２の経路より信号のレベルを小さくして伝達する第３の経路と、
を前記騒音レベル検出手段で検出された前記騒音レベルに応じて切り替える経路切替手段として構成されたことを特徴とする請求項２に記載の騒音キャンセルヘッドフォン。
【請求項６】
前記第２の経路はＭを１より大きい値とした１／Ｍの増幅率を有するアンプにより信号のレベルを小さくして伝達し、
前記第３の経路はＮを１より大きく且つＭ＜Ｎである値とした１／Ｎの増幅率を有するアンプにより信号のレベルを小さくして伝達することを特徴とする請求項５に記載の騒音キャンセルヘッドフォン。
【請求項７】
前記Ｍは１より大きな値で任意に設定可能であり、前記Ｎは１より大きく且つＭ＜Ｎである値で任意に設定可能であることを特徴とする請求項６に記載の騒音キャンセルヘッドフォン。
【請求項８】
音声信号を入力して周囲の騒音がキャンセルされた音声を聞くことができる騒音キャンセルヘッドフォンの騒音キャンセル制御モード切替方法において、
前記騒音キャンセルヘッドフォンには、
前記音声信号が正入力部に入力されマイクアンプからの信号が負入力部に入力されてその差分が出力される信号加算部、前記信号加算部の出力信号を１より小さい異なる増幅率で増幅する複数のアンプ、前記信号加算部の出力信号乃至前記複数のアンプの出力信号のいずれかを選択して出力する開ループゲイン切替手段、前記開ループゲイン切替手段からの信号を入力し増幅して出力するヘッドフォンアンプ、前記ヘッドフォンアンプの出力信号を入力して音声を発生するスピーカ、前記スピーカで発生された音声と周囲の騒音を集音して電気信号に変換して出力するマイク、前記マイクの出力信号を入力し前記信号加算部の負入力部に帰還する前記マイクアンプ、により構成された周囲の騒音をキャンセルするための騒音キャンセルフィードバック制御回路が備えられており、
音声信号再生装置が再生モードになったとき前記音声信号が再生され前記音声信号再生装置が再生停止モードになったとき前記音声信号が再生されないことを利用して前記再生停止モードを検出することにより前記音声信号の信号レベルが所定値を下回ることを検出し、検出された騒音レベルに応じ、前記複数のアンプの出力信号の中のいずれか１つを選択するように前記開ループゲイン切替手段を切り替えることを特徴とする騒音キャンセルヘッドフォンの騒音キャンセル制御モード切替方法。
【請求項９】
前記音声信号再生装置から出力されるモード切替信号が騒音レベル検出手段に出力され、
前記騒音レベル検出手段は、入力された前記モード切替信号が前記再生停止モードであるとき、前記開ループゲイン切替手段に対し、前記騒音キャンセルフィードバック制御回路の開ループゲインが再生モード時より小さくなるように、検出された前記騒音レベルに応じて前記複数のアンプの出力信号の中のいずれか１つを選択する選択信号を出力し、
前記開ループゲイン切替手段は前記騒音レベル検出手段からの前記選択信号に応じ前記複数のアンプの出力信号の中のいずれか１つを選択するように切り替える
ことを特徴とする請求項８に記載の騒音キャンセルヘッドフォンの騒音キャンセル制御モード切替方法。
【請求項１０】
音声信号を入力して周囲の騒音がキャンセルされた音声を聞くことができる騒音キャンセルヘッドフォンの騒音キャンセル制御モード切替方法において、
前記騒音キャンセルヘッドフォンには、
前記音声信号が正入力部に入力されマイクアンプからの信号が負入力部に入力されてその差分が出力される信号加算部、前記信号加算部の出力信号を１より小さい異なる増幅率で増幅する複数のアンプ、前記信号加算部の出力信号乃至前記複数のアンプの出力信号のいずれかを選択して出力する開ループゲイン切替手段、前記開ループゲイン切替手段からの信号を入力して増幅し出力するヘッドフォンアンプ、前記ヘッドフォンアンプの出力信号を入力して音声を発生するスピーカ、前記スピーカで発生された音声と周囲の騒音を集音して電気信号に変換して出力するマイク、前記マイクの出力信号を入力し前記信号加算部の負入力部に帰還する前記マイクアンプ、により構成された周囲の騒音をキャンセルするための騒音キャンセルフィードバック制御回路が備えられており、
入力された前記音声信号の信号レベルを検出し、
検出した前記音声信号の前記信号レベルが所定値を下回ることを検出したとき、前記開ループゲイン切替手段は騒音レベル検出手段が検出した周囲の騒音レベルに応じて前記複数のアンプの出力信号の中のいずれか１つを選択するように切り替えることを特徴とする騒音キャンセルヘッドフォンの騒音キャンセル制御モード切替方法。
【発明の詳細な説明】
【技術分野】
【０００１】
本発明は、騒音キャンセルヘッドフォン、及び騒音キャンセル制御モード切替方法に係り、特に、音声信号の再生を停止したとき、フィードバック制御に起因する異音を騒音に応じて小さくすることができる騒音キャンセルヘッドフォン、及び騒音キャンセル制御モード切替方法に関する。
【背景技術】
【０００２】
近年、周囲の騒音をキャンセルして音楽などを聞くことができる騒音キャンセルヘッドフォンが各社より製品化されている。これらの騒音キャンセルヘッドフォンは、周囲の騒音をマイクから入力し、スピーカから出力される騒音を逆位相で打ち消し、低騒音化を実現するようになっている。騒音キャンセルヘッドフォンに関する従来技術としては、特開平６−３４３１９５号公報（特許文献１）などを挙げることができる。
【０００３】
図５は、フィードバック制御により騒音キャンセルを実現するヘッドフォンの制御回路構成を簡単化して示したものである。
【０００４】
図５において、３１は騒音キャンセルヘッドフォンの制御回路部である。２は騒音キャンセルヘッドフォンの音声再生部（以下ヘッドフォンという）を示す。また、３は音楽などの音声信号を出力する音声信号再生装置であり、図５ではシリコンプレーヤ（音楽データを記憶する記憶媒体が半導体メモリである携帯型オーディオ装置）となっている。制御回路部３１とヘッドフォン２は、一体に構成されたものや別体として構成されたものがある。また、ヘッドフォン２はヘッドフォン型の他にイヤホン型のものもある。
【０００５】
音声信号再生装置３から入力された音声信号は、制御回路部３１で音声信号処理されてヘッドフォン２に出力され音声として再生される。なお、以下の説明では音響や音声を含めて音声と記載する。
【０００６】
制御回路部３１は、補正回路４、信号加算部５、フィルタ６、ヘッドフォンアンプ７、マイクアンプ８などで構成されている。ヘッドフォン２は、スピーカ１３、マイク１４、ヘッドフォンハウジング１５、バンド１６などで構成されている。なお、１７はユーザの耳を簡略化して描いたものである。
【０００７】
音声信号再生装置３の出力部は補正回路４の入力部に接続されている。また、補正回路４の出力部は信号加算部５の正入力部に接続されている。また、信号加算部５の出力部はフィルタ６の入力部に接続されている。フィルタ６の出力部はヘッドフォンアンプ７の入力部に接続されている。また、ヘッドフォンアンプ７の出力部はスピーカ１３に接続されている。スピーカ１３とマイク１４はヘッドフォンハウジング１５内に近接して取り付けられている。ユーザがヘッドフォン２を装着した状態で、マイク１４はスピーカ１３からの音声とヘッドフォンハウジング１５を介してマイク１４に届いた周囲の騒音の両方を集音するようになっている。
【０００８】
補正回路４は、音声信号再生装置３から入力された音声信号を補正して、スピーカ１３から出力される音声の可聴周波数範囲での周波数特性がほぼフラットの特性となるように設けられた補正回路である。また、信号加算部５は、その正入力部に入力された補正回路４からの音声信号と、その負入力部に入力されたマイクアンプ８からのフィードバック信号との差分をとる引き算器となっている。また、フィルタ６は騒音を低減したい周波数帯域でゲインを大きくしたバンドパスフィルタとなっている。また、ヘッドフォンアンプ７は入力された信号を電力増幅してスピーカ１３に供給する。マイク１４は、スピーカ１３から出力された音声及び騒音を集音して電気信号に変換し、マイクアンプ８に供給する。マイクアンプ８はマイク１４からの信号を増幅し、信号加算部５の負入力部にフィードバック信号として帰還させる。
【０００９】
このように制御回路部３１、ヘッドフォン２、音声信号再生装置３で構成された音声再生システムは信号加算部５、フィルタ６、ヘッドフォンアンプ７、スピーカ１３、マイク１４、マイクアンプ８により負帰還のフィードバックループを構成する。この負帰還のフィードバックループにより騒音がキャンセルされるようになっている。
【特許文献１】特開平６−３４３１９５号公報
【発明の開示】
【発明が解決しようとする課題】
【００１０】
上記フィードバック制御による騒音キャンセルヘッドフォンは、騒音キャンセルフィードバック制御回路の開ループゲインを大きくして騒音低減効果を大きくできるという特徴を持っている反面、開ループゲインを大きくするとフィードバック制御に起因する異音を発生するという問題がある。
【００１１】
図６は、騒音キャンセルフィードバックループ特性をボード線図で表現したときの開ループゲイン特性と開ループ位相特性が上記異音とどのような関係になっているかを示している。
【００１２】
図６の（ａ）は、騒音キャンセルフィードバックループの開ループゲイン特性を示し、開ループゲイン大、開ループゲイン小の２つの特性例を示している。（ｂ）は位相特性であり、（ａ）の２つの特性例についての位相余裕を示している。（ｃ）は制御回路部３１の入出力（Ｏ／Ｉ）ゲイン特性を示したものである。開ループゲイン特性のカットオフ周波数付近ではゲインが大きくなり、音声信号が無信号のときでも異音を発生することを示している。また、開ループゲインを大きくすると騒音低減効果は大きくなるが、位相余裕が少なくなり異音が大きくなることを示している。
【００１３】
このフィードバック制御に起因する異音は、ユーザにとって耳障りであった。特に音声再生を停止させた際、スピーカから音声が聞こえていない静かな状態では顕著である。
【００１４】
本発明は上記問題点に鑑み、音声再生を停止させた際に聞こえる上記耳障りな異音を、周囲の騒音との関係で効果的に減少させることができる騒音キャンセルヘッドフォンを提供することを目的とする。
【課題を解決するための手段】
【００１５】
本発明の騒音キャンセルヘッドフォンは、音声信号を入力して周囲の騒音がキャンセルされた音声を聞くことができる騒音キャンセルヘッドフォンにおいて、前記音声信号が正入力部に入力されマイクアンプからの信号が負入力部に入力されてその差分が出力される信号加算部、前記信号加算部の出力信号を１より小さい異なる増幅率で増幅する複数のアンプ、前記信号加算部の出力信号乃至前記複数のアンプの出力信号のいずれかを選択して出力する開ループゲイン切替手段、前記開ループゲイン切替手段からの信号を入力し増幅して出力するヘッドフォンアンプ、前記ヘッドフォンアンプの出力信号を入力して音声を発生するスピーカ、前記スピーカで発生された音声と周囲の騒音を集音して電気信号に変換して出力するマイク、前記マイクの出力信号を入力し前記信号加算部の負入力部に帰還する前記マイクアンプ、により構成された周囲の騒音をキャンセルするための騒音キャンセルフィードバック制御回路と、前記音声信号のレベルを検出する音声信号レベル検出手段と、前記ヘッドフォンアンプの出力を遮断して前記マイクアンプの出力を基に周囲の騒音レベルのみを検出する騒音レベル検出手段と、を備え、前記音声信号の信号レベルが所定値を下回ることを前記音声信号レベル検出手段が検出したとき、前記開ループゲイン切替手段は前記騒音レベル検出手段で検出された前記騒音レベルに応じて前記複数のアンプの出力信号の中のいずれか１つを選択するように切り替えることを特徴とする。
また、本発明の騒音キャンセルヘッドフォンは、前記音声信号レベル検出手段が、音声信号再生装置が再生モードになったとき前記音声信号が再生され前記音声信号再生装置が再生停止モードになったとき前記音声信号を再生しないことを利用して前記再生停止モードを検出することにより前記音声信号の前記信号レベルが前記所定値を下回ることを検出する再生モード／再生停止モード検出手段であり、前記再生モード／再生停止モード検出手段が前記再生停止モードを検出したとき、前記開ループゲイン切替手段は前記騒音レベル検出手段で検出された前記騒音レベルに応じて前記複数のアンプの出力信号の中のいずれか１つを選択するように切り替えることを特徴とする。
また、本発明の騒音キャンセルヘッドフォンは、前記音声信号レベル検出手段が、入力された前記音声信号の前記信号レベルを検出する入力音声信号レベル検出手段であり、前記開ループゲイン切替手段は、前記入力音声信号レベル検出手段により前記音声信号の前記信号レベルが前記所定値を下回ることを検出したとき、前記開ループゲイン切替手段は前記騒音レベル検出手段が検出した前記騒音レベルに応じて前記複数のアンプの出力信号の中のいずれか１つを選択するように切り替えることを特徴とする。
また、本発明の騒音キャンセルヘッドフォンは、前記音声信号の前記信号レベルが前記所定値を下回ることを前記入力音声信号レベル検出手段が検出したとき、前記開ループゲイン切替手段が、前記騒音レベルが予め定めた騒音判定レベルより小さいとき前記騒音レベルが前記騒音判定レベルより大きいときよりも前記騒音キャンセルフィードバック制御回路の開ループゲインが小さくなるように切り替えることを特徴とする。
また、本発明の騒音キャンセルヘッドフォンは、前記開ループゲイン切替手段が、前記騒音キャンセルフィードバック制御回路のフィードバックループ内に配置され、前記音声信号再生装置の再生モード時に信号のレベルを変えないで伝達する第１の経路と、前記再生停止モード時であって前記騒音レベルが予め定めた騒音判定レベルを上回るとき前記第１の経路より信号のレベルを小さくして伝達する第２の経路と、前記再生停止モード時であって前記騒音レベルが予め定めた前記騒音判定レベルを下回るとき前記第２の経路より信号のレベルを小さくして伝達する第３の経路と、を前記騒音レベル検出手段で検出された前記騒音レベルに応じて切り替える経路切替手段として構成されたことを特徴とする。
また、本発明の騒音キャンセルヘッドフォンは、前記第２の経路がＭを１より大きい値とした１／Ｍの増幅率を有するアンプにより信号のレベルを小さくして伝達し、前記第３の経路がＮを１より大きく且つＭ＜Ｎである値とした１／Ｎの増幅率を有するアンプにより信号のレベルを小さくして伝達することを特徴とする。
また、本発明の騒音キャンセルヘッドフォンは、前記Ｍは１より大きな値で任意に設定可能であり、前記Ｎは１より大きく且つＭ＜Ｎである値で任意に設定可能であることを特徴とする。
また、本発明の騒音キャンセルヘッドフォンの騒音キャンセル制御モード切替方法は、音声信号を入力して周囲の騒音がキャンセルされた音声を聞くことができる騒音キャンセルヘッドフォンの騒音キャンセル制御モード切替方法において、前記騒音キャンセルヘッドフォンには、前記音声信号が正入力部に入力されマイクアンプからの信号が負入力部に入力されてその差分が出力される信号加算部、前記信号加算部の出力信号を１より小さい異なる増幅率で増幅する複数のアンプ、前記信号加算部の出力信号乃至前記複数のアンプの出力信号のいずれかを選択して出力する開ループゲイン切替手段、前記開ループゲイン切替手段からの信号を入力し増幅して出力するヘッドフォンアンプ、前記ヘッドフォンアンプの出力信号を入力して音声を発生するスピーカ、前記スピーカで発生された音声と周囲の騒音を集音して電気信号に変換して出力するマイク、前記マイクの出力信号を入力し前記信号加算部の負入力部に帰還する前記マイクアンプ、により構成された周囲の騒音をキャンセルするための騒音キャンセルフィードバック制御回路が備えられており、音声信号再生装置が再生モードになったとき前記音声信号が再生され前記音声信号再生装置が再生停止モードになったとき前記音声信号が再生されないことを利用して前記再生停止モードを検出することにより前記音声信号の信号レベルが所定値を下回ることを検出し、検出された騒音レベルに応じ、前記複数のアンプの出力信号の中のいずれか１つを選択するように前記開ループゲイン切替手段を切り替えることを特徴とする。
また、本発明の騒音キャンセルヘッドフォンの騒音キャンセル制御モード切替方法は、前記音声信号再生装置から出力されるモード切替信号が騒音レベル検出手段に出力され、前記騒音レベル検出手段は、入力された前記モード切替信号が前記再生停止モードであるとき、前記開ループゲイン切替手段に対し、前記騒音キャンセルフィードバック制御回路の開ループゲインが再生モード時より小さくなるように、検出された前記騒音レベルに応じて前記複数のアンプの出力信号の中のいずれか１つを選択する選択信号を出力し、前記開ループゲイン切替手段は前記騒音レベル検出手段からの前記選択信号に応じ前記複数のアンプの出力信号の中のいずれか１つを選択するように切り替えることを特徴とする。
また、本発明の騒音キャンセルヘッドフォンの騒音キャンセル制御モード切替方法は、音声信号を入力して周囲の騒音がキャンセルされた音声を聞くことができる騒音キャンセルヘッドフォンの騒音キャンセル制御モード切替方法において、前記騒音キャンセルヘッドフォンには、前記音声信号が正入力部に入力されマイクアンプからの信号が負入力部に入力されてその差分が出力される信号加算部、前記信号加算部の出力信号を１より小さい異なる増幅率で増幅する複数のアンプ、前記信号加算部の出力信号乃至前記複数のアンプの出力信号のいずれかを選択して出力する開ループゲイン切替手段、前記開ループゲイン切替手段からの信号を入力して増幅し出力するヘッドフォンアンプ、前記ヘッドフォンアンプの出力信号を入力して音声を発生するスピーカ、前記スピーカで発生された音声と周囲の騒音を集音して電気信号に変換して出力するマイク、前記マイクの出力信号を入力し前記信号加算部の負入力部に帰還する前記マイクアンプ、により構成された周囲の騒音をキャンセルするための騒音キャンセルフィードバック制御回路が備えられており、入力された前記音声信号の信号レベルを検出し、検出した前記音声信号の前記信号レベルが所定値を下回ることを検出したとき、前記開ループゲイン切替手段は騒音レベル検出手段が検出した周囲の騒音レベルに応じて前記複数のアンプの出力信号の中のいずれか１つを選択するように切り替えることを特徴とする。
【発明の効果】
【００１６】
本発明によれば、音声再生を停止させた際、フィードバック制御に起因する異音を効果的に減少させることができる騒音キャンセルヘッドフォンを提供することができる。
【発明を実施するための最良の形態】
【００１７】
以下、本発明を実施するための最良の形態を、図面を参照して具体的に説明する。
【００１８】
（第１の実施の形態）
図１は本発明による騒音キャンセルヘッドフォンの制御回路構成の第１の実施の形態を示している。
【００１９】
まず、本実施の形態の騒音キャンセルヘッドフォンの制御回路構成を説明する。
【００２０】
図１において、１は騒音キャンセルヘッドフォンの制御回路部である。２は騒音キャンセルヘッドフォンの音声再生部（以下ヘッドフォンという）を示す。また、２３は音楽などの音声信号を出力する音声信号再生装置であり、図１ではシリコンプレーヤ（音楽データを記憶する記憶媒体が半導体メモリである携帯型オーディオ装置）となっている。制御回路部１とヘッドフォン２は、一体あるいは別体として構成することができる。また、ヘッドフォン２はヘッドフォン型の他にイヤホン型とすることができる。
【００２１】
音声信号再生装置２３から制御回路部１に入力された音声信号は、制御回路部１で音声信号処理されてヘッドフォン２に出力され音声として再生される。
【００２２】
制御回路部１は、補正回路４、信号加算部５、フィルタ６、ヘッドフォンアンプ７、マイクアンプ８、開ループゲイン切替スイッチ９、増幅率１／Ｍ（Ｍは１より大）のアンプ１０、増幅率１／Ｎ（Ｎは１より大であり、且つＭ＜Ｎ）のアンプ１１、騒音レベル検出回路１２、騒音レベル検出期間信号発生回路２０などで構成されている。ここでＭ、Ｎの値は予め定めた固定値を設定しても良いが、ユーザの好みにより上記範囲の任意の値に設定できるようにしても良い。
【００２３】
ヘッドフォン２は、スピーカ１３、マイク１４、ヘッドフォンハウジング１５、バンド１６などで構成されている。なお、１７はユーザの耳を簡略化して描いたものである。
【００２４】
音声信号再生装置２３には、音声信号の再生／停止を操作するＰＬＡＹ／ＳＴＯＰモード切替スイッチ１８が備わり、また、このスイッチの操作状態を検出して制御回路部１に出力するＰＬＡＹ／ＳＴＯＰモード検出部１９が備わっている。ここでＰＬＡＹモードとは音声信号を再生する再生モードであり、ＳＴＯＰモードとは音声信号を再生しない再生停止モードである。
【００２５】
音声信号再生装置２３の音声信号出力部は補正回路４の音声信号入力部に接続されている。また、補正回路４の出力部は信号加算部５の正入力部に接続されている。
【００２６】
また、信号加算部５の出力部は、開ループゲイン切替スイッチ９の端子Ａに接続され、アンプ１０を介して開ループゲイン切替スイッチ９の端子Ｂに接続され、アンプ１１を介して開ループゲイン切替スイッチ９の端子Ｃに接続されている。開ループゲイン切替スイッチ９の端子Ｄはフィルタ６の入力部に接続され、フィルタ６の出力部はヘッドフォンアンプ７の入力部に接続されている。
【００２７】
また、ヘッドフォンアンプ７の出力部はスピーカ１３の入力部に接続されている。スピーカ１３とマイク１４はヘッドフォンハウジング１５内に近接して取り付けられている。ユーザがヘッドフォン２を装着した状態で、マイク１４はスピーカ１３からの音声とヘッドフォンハウジング１５を介してマイク１４に届いた周囲の騒音の両方を集音するようになっている。
【００２８】
また、マイク１４は、スピーカ１３から出力された音声及び騒音を集音して電気信号に変換し、マイクアンプ８に供給する。マイクアンプ８はマイク１４からの信号を増幅し、フィードバック信号として信号加算部５の負入力部に帰還させる。
【００２９】
補正回路４は、音声信号再生装置２３から入力された音声信号を補正して、スピーカ１３から出力される音声の可聴周波数範囲での周波数特性がほぼフラットの特性となるように設けられた補正回路である。また、信号加算部５は、その正入力部に入力された補正回路４からの音声信号と、その負入力部に入力されたマイクアンプ８からのフィードバック信号の差分をとる引き算器となっている。また、フィルタ６は騒音を低減したい周波数帯域でゲインを大きくしたバンドパスフィルタとなっている。
【００３０】
開ループゲイン切替スイッチ９は、騒音レベル検出回路１２の出力によって端子Ｄが端子Ａ、Ｂ、Ｃのいずれかに切り替え接続される。騒音レベル検出回路１２の出力信号は後述するように、図２の（ｃ）に示すように２ビットの信号（１１）、（１０）、（０１）、（００）が出力となっている。騒音レベル検出回路１２の出力信号が（１１）のとき端子Ｄに端子Ａが接続され、（１０）のとき端子Ｄに端子Ｂが接続され、（０１）のとき端子Ｄに端子Ｃが接続され、（００）のとき端子間の接続関係はホールドされる。なお、騒音レベル検出回路１２の出力信号と端子Ａ、Ｂ、Ｃ、Ｄの上記接続関係は一例を示したものであり、その他の接続関係を採用することも可能である。
【００３１】
開ループゲイン切替スイッチ９のＤ端子がＡ端子に接続されるように切り替わったときには信号加算部５の出力信号の大きさは変更されずにフィルタ６に入力される。
【００３２】
一方、開ループゲイン切替スイッチ９のＤ端子がＢ端子に接続されるように切り替わったときには信号加算部５の出力信号の大きさはアンプ１０を介することにより１／Ｍ倍されてフィルタ６に入力される。
【００３３】
また、開ループゲイン切替スイッチ９のＤ端子がＣ端子に接続されるように切り替わったときには信号加算部５の出力信号の大きさはアンプ１１を介することにより１／Ｎ倍されてフィルタ６に入力される。
【００３４】
騒音レベル検出期間信号発生回路２０は、音声信号再生装置２３のＰＬＡＹ／ＳＴＯＰモード検出部１９からの信号を入力し、ＳＴＯＰモードに切り替わる立下り部を検出したとき、所定時間幅Ｔ１の騒音レベル検出期間信号を騒音レベル検出回路１２とヘッドフォンアンプ７に出力する。この所定時間幅Ｔ１は周囲の騒音のレベルを検出するための期間である。
【００３５】
騒音レベル検出期間信号発生回路２０から騒音レベル検出期間信号を受け取った騒音レベル検出回路１２は出力信号として（００）を出力する。したがってこのとき開ループゲイン切替スイッチ９の端子Ａ、Ｂ、Ｃ、Ｄの接続関係は所定時間幅Ｔ１だけホールドされる。
【００３６】
また、騒音レベル検出期間信号発生回路２０から騒音レベル検出期間信号を受け取ったヘッドフォンアンプ７はこの所定時間幅Ｔ１だけ出力を遮断する。この期間はスピーカ１３からは音声が出力されない。したがってこのとき、マイク１４は周囲の騒音のみを集音することができ、騒音レベル検出回路１２は周囲の騒音レベルを正しく検出することができる。
【００３７】
騒音レベル検出期間Ｔ１においてマイク１４で集音された周囲の騒音は電気信号に変換されマイクアンプ８を介して騒音レベル検出回路１２に入力される。
【００３８】
騒音レベル検出回路１２には、ＰＬＡＹ／ＳＴＯＰモード検出部１９からの信号と、騒音レベル検出期間信号発生回路２０からの信号と、マイクアンプ８からの信号が入力されているので、騒音レベル検出期間信号発生回路２０から騒音レベル検出期間信号が入力されるとマイクアンプ８からの信号のレベルを判定し、そのレベルの大きさに応じて（１０）、（０１）のいずれかを出力する。出力信号を（００）から（１０）、（０１）のいずれかに変化させるタイミングは図２の例では所定時間幅Ｔ１が経過した直後であるが所定時間幅Ｔ１内であっても良い。
【００３９】
騒音レベル検出回路１２で検出された騒音レベルが予め定められた騒音判定レベルより大きいときは、騒音を低減することを目的として、ゲインが１／Ｍのアンプ１０がフィードバック制御回路の経路に挿入される。このときは騒音レベル検出回路１２から出力信号（１０）が出力され、端子Ｂと端子Ｄが接続される。
【００４０】
また、騒音レベル検出回路１２で検出された騒音レベルが予め定められた騒音判定レベルより小さいときは、フィードバック制御に起因する異音を低減することを目的として、ゲインが１／Ｎのアンプ１１がフィードバック制御回路の経路に挿入される。このときは騒音レベル検出回路１２から出力信号（０１）が出力され、開ループゲイン切替スイッチ９の端子Ｃと端子Ｄが接続される。
【００４１】
また、騒音レベル検出回路１２は、ＰＬＡＹ／ＳＴＯＰモード検出部１９からの信号がＰＬＡＹモードに対応するものであるときには出力信号を（１１）とする。これにより開ループゲイン切替スイッチ９の端子Ａと端子Ｄが接続され、信号加算部５の出力信号は大きさが変更されずにフィルタ６に入力されて騒音キャンセル制御による音声再生が行われる。
【００４２】
このように制御回路部１、ヘッドフォン２、音声信号再生装置２３で構成された音声再生システムは、音声信号再生装置２３がＰＬＡＹモードになったときには信号加算部５、フィルタ６、スピーカ１３、マイク１４、マイクアンプ８により負帰還のフィードバックループを構成する。また、音声信号再生装置２３がＳＴＯＰモードになったときに、周囲の騒音レベルが予め定められた騒音判定レベルより大きいときには信号加算部５、アンプ１０、フィルタ６、スピーカ１３、マイク１４、マイクアンプ８により負帰還のフィードバックループを構成、周囲の騒音レベルが予め定められた騒音判定レベルより小さいときには信号加算部５、アンプ１１、フィルタ６、スピーカ１３、マイク１４、マイクアンプ８により負帰還のフィードバックループを構成する。
【００４３】
アンプ１０のゲイン１／ＭはＭが１より大きく設定されており、また、アンプ１１のゲイン１／ＮはＮが１より大きく且つＭ＜Ｎとして設定されている。したがって音声信号再生装置２３がＳＴＯＰモードになったとき、制御回路部１は、騒音が予め定められた騒音判定レベルより大きい環境にいるときにはフィードバックループの開ループゲインが比較的大きな１／Ｍ倍になり、周囲の騒音が低減されるように動作する。また、音声信号再生装置２３がＳＴＯＰモードになったとき、騒音が予め定められた騒音判定レベルより小さい環境にいるときには、制御回路部１は、フィードバックループの開ループゲインが比較的小さな１／Ｎ倍になり、フィードバック制御に起因する異音が低減されるように動作する。
【００４４】
なお、ＰＬＡＹ／ＳＴＯＰモード検出部１９は音声信号再生装置２３がＰＬＡＹモードにあるかＳＴＯＰモードにあるかを検出するものであるが、ＳＴＯＰモードのとき音声信号の信号レベルが０であることを間接的に検出する音声信号レベル検出手段でもある。
【００４５】
図２は、本実施の形態における騒音キャンセルフィードバックループの開ループゲインが、音声信号再生装置２３の音声再生状態（ＰＬＡＹ／ＳＴＯＰのモード）によりどのように切り替えられるかを示したものである。
【００４６】
図２において、（ａ）は音声信号再生装置２３の音声再生状態（ＰＬＡＹ／ＳＴＯＰのモード信号）を示している。図２の（ａ）においてＰＬＡＹは音声信号再生装置２３がＰＬＡＹモードにある状態、ＳＴＯＰは音声信号再生装置２３がＳＴＯＰモードにある状態を示す。
【００４７】
また、図２の（ｂ）は騒音レベルを示したもので、騒音判定レベルＬＮに対する差分を示している。
【００４８】
また、図２の（ｃ）は騒音レベル検出回路１２から出力される騒音レベル検出信号を示したもので、２ビットの出力信号（１１）、（１０）、（０１）、（００）となっている。出力信号（１１）はＰＬＡＹモード時に対応し、出力信号（１０）は周囲の騒音大のときのＳＴＯＰモード時に対応し、出力信号（０１）は周囲の騒音小のときのＳＴＯＰモード時に対応し、出力信号（００）は騒音レベル検出期間時に対応している。
【００４９】
また、図２の（ｄ）は開ループゲイン切替スイッチ９の切替状態を示したものである。図において、Ａは開ループゲイン切替スイッチ９の端子Ａと端子Ｄが接続され、フィルタ６に端子Ａからの信号が入力されている状態を示している。また、Ｂは開ループゲイン切替スイッチ９の端子Ｂと端子Ｄが接続され、フィルタ６に端子Ｂからの信号が入力されている状態を示している。また、Ｃは開ループゲイン切替スイッチ９の端子Ｃと端子Ｄが接続され、フィルタ６に端子Ｃからの信号が入力されている状態を示している。
【００５０】
また、図２の（ｅ）は開ループゲインがどのようになるかを示している。ここで、ＧＰは開ループゲイン切替スイッチ９の端子Ａと端子Ｄが接続されたときの開ループゲインの大きさを表している。また、ＧＰ／Ｍは、開ループゲイン切替スイッチ９の端子Ｂと端子Ｄが接続されたときの開ループゲインの大きさで、アンプ１０が挿入されることにより開ループゲインがＧＰの１／Ｍ倍になることを示している。また、ＧＰ／Ｎは、開ループゲイン切替スイッチ９の端子Ｃと端子Ｄが接続されたときの開ループゲインの大きさで、アンプ１１が挿入されることにより開ループゲインがＧＰの１／Ｎ倍になることを示している。
【００５１】
図２を参照して、本実施の形態の動作を説明する。
【００５２】
まず、時刻ｔ１以前は音声信号再生装置２３のＰＬＡＹ／ＳＴＯＰモード切替スイッチ１８がＳＴＯＰモードにあり、音声再生は停止状態にある。このとき、ＰＬＡＹ／ＳＴＯＰモード検出部１９の出力信号はローレベルとなっている。このときの周囲の騒音レベルは騒音判定レベルＬＮよりΔＮ１だけ上回っており、騒音レベル検出回路１２は信号（１０）を出力している。これにより開ループゲイン切替スイッチ９は端子Ｂと端子Ｃが接続されるた状態となっているのでアンプ１０がフィードバックループに挿入されている。したがって、フィードバックループの開ループゲインはＧＰ／Ｍとなっている。
【００５３】
時刻ｔ１でユーザが音声信号再生装置２３のＰＬＡＹ／ＳＴＯＰモード切替スイッチ１８をＳＴＯＰモードからＰＬＡＹモードに切り替えたとする。ＰＬＡＹ／ＳＴＯＰモード検出部１９はこの切り替え状態を検出してその出力信号をローレベルからハイレベルに切り替え制御回路部１に出力する。
【００５４】
騒音レベル検出回路１２はＰＬＡＹ／ＳＴＯＰモード検出部１９からの信号がローレベルからハイレベルに切り替えられたことを検出し、その出力を（１１）とする。
【００５５】
開ループゲイン切替スイッチ９は、騒音レベル検出回路の信号が（１１）に切り替わったことにより端子Ａと端子Ｄを接続するように切り替える（図２（ｄ）のＡの状態）。このとき、端子Ａと端子Ｄが接続された状態となるので、フィードバックループの開ループゲインはＧＰとなる（図２（ｅ）のＧＰの状態）。
【００５６】
時刻ｔ２でユーザが音声信号再生装置２３のＰＬＡＹ／ＳＴＯＰモード切替スイッチ１８をＰＬＡＹモードからＳＴＯＰモードに切り替えたとする。ＰＬＡＹ／ＳＴＯＰモード検出部１９はこの切り替え状態を検出してその出力（ＰＬＡＹ／ＳＴＯＰモード切替信号）をハイレベルからローレベルに切り替え制御回路部１に出力する。
【００５７】
騒音レベル検出期間信号発生回路２０はＰＬＡＹ／ＳＴＯＰモード検出部１９からの信号がハイレベルからローレベルに切り替えられたことを検出すると、所定時間幅Ｔ１のパルス信号を出力する。騒音レベル検出回路１２は騒音レベル検出期間信号発生回路２０からの所定時間幅Ｔ１のパルス信号を受け取るとその出力を（００）として開ループゲイン切替スイッチ９の端子接続状態をホールドする。
【００５８】
また、騒音レベル検出期間信号発生回路２０からの所定時間幅Ｔ１のパルス信号を受け取ったヘッドフォンアンプ７は、この所定時間幅Ｔ１の間、出力を遮断する。したがってスピーカ１３は無音状態となり、マイク１４は周囲の騒音のみを集音する。マイク１４からの信号はマイクアンプ８を介して騒音レベル検出回路１２に入力され、騒音レベルが検出される。騒音レベルは騒音判定レベルよりΔＮ２だけ下回っているので、騒音レベル検出回路１２はその出力を（００）から（０１）に変更して出力する。
【００５９】
騒音レベル検出回路１２の出力が（０１）になると、開ループゲイン切替スイッチ９は、端子Ｃと端子Ｄを接続するように切り替える（図２（ｄ）のＣの状態）。このとき、端子Ｃと端子Ｄが接続されるた状態となるのでアンプ１１がフィードバックループに挿入される。したがって、フィードバックループの開ループゲインはＧＰ／Ｎとなる（図２（ｃ）のＧＰ／Ｎの状態）。
【００６０】
以下、同様にＰＬＡＹ／ＳＴＯＰモード切替スイッチ１８の操作に応じてフィードバックループの開ループゲインが切り替えられ、ＳＴＯＰモードになったときに周囲の騒音レベルが騒音判定レベルより大きいときはフィードバックループの開ループゲインがＧＰ／Ｍのように比較的大きなゲインとなるように切り替えられ、周囲の騒音レベルが騒音判定レベルより小さいときはフィードバックループの開ループゲインがＧＰ／Ｎのように比較的小さなゲインとなるように切り替えられる。したがって音声信号再生装置をＳＴＯＰモードにしたとき、周囲の騒音が大きいときには騒音が小さく押さえられ、周囲の騒音が小さいときにはフィードバック制御に起因する異音が抑えられる。
【００６１】
上記説明で分かるように、本実施の形態によるヘッドフォンは、周囲の騒音が小さく且つ音声の再生が停止された静かな状態のときにはフィードバック制御に起因する異音が小さく抑えられる。また、周囲の騒音が大きく且つ音声の再生が停止された状態では周囲の騒音が小さく抑えられる。また、音声再生時には、騒音キャンセルフィードバック制御回路が開ループゲインの大きな状態で動作しても、音声の音量に対し異音は小さいので異音は気にならない。したがって、本実施の形態によれば、ＰＬＡＹモード、ＳＴＯＰモードのどちらでも異音が気にならない騒音キャンセルヘッドフォンを提供することができる。また、周囲の騒音が大きい状態でＳＴＯＰモードにすれば耳栓代わりとすることができる。
【００６２】
（第２の実施の形態）
次に、図３を参照して、本発明の第２の実施の形態について説明する。
【００６３】
上記第１の実施の形態においては、騒音キャンセルフィードバックループの開ループゲイン切替を、ＰＬＡＹ／ＳＴＯＰモード切替スイッチ１８の操作状態を判断して行うようにしたが、本実施の形態では音声信号再生装置３から入力される音声信号のレベルを検出して行う。
【００６４】
図３は、本実施の形態による騒音キャンセルヘッドフォンの構成を示している。図３に示されたように、本実施の形態では、音声信号再生装置３から補正回路４に入力される音声信号の信号レベルから、音声信号の信号レベルが所定値より小さい状態であることを検出して信号出力する音声信号レベル検出部２２が備わっている。
【００６５】
音声信号レベル検出部２２は第１の実施の形態におけるＰＬＡＹ／ＳＴＯＰモード検出部１９の代わりに設けられたもので、その入力部は、音声信号再生装置３の音声信号出力部と補正回路４の入力部間に接続され、その出力部は、騒音レベル検出回路１２と騒音レベル検出期間信号発生回路２０に接続されている。音声信号レベル検出部２２の出力信号は、上記第１の実施の形態におけるＰＬＡＹ／ＳＴＯＰモード検出部１９の出力信号と同様に利用される。
【００６６】
その他、図１に示された符号と同一符号のものは同じものを示している。本実施の形態の説明は、第１の実施の形態と異なる点を主に説明し、第１の実施の形態で説明したその他の説明は省略する。
【００６７】
以下、図４を参照して第２の実施の形態における騒音キャンセルヘッドフォンの動作を説明する。
【００６８】
いま、音声信号再生装置３のＰＬＡＹ／ＳＴＯＰモード切替スイッチ１１が図４の（ａ）のように、時刻ｔ１でＳＴＯＰモードからＰＬＡＹモードに切り替わり、時刻ｔ４でＰＬＡＹモードからＳＴＯＰモードに切り替わるとする。
【００６９】
時刻ｔ１以前はＳＴＯＰモードにあるため、図４の（ｂ）に示したように音声信号再生装置３から補正回路４には音声信号が出力されない。このとき、音声信号レベル検出部２２は音声信号が予め定めた音声信号判定レベルＬＳを下回ったレベル状態であることを検出して、出力はローレベルとなっている。このときの周囲の騒音レベルは図４の（ｅ）に示したように予め定めた騒音判定レベルをΔＮ１だけ上回っているとする。したがって、騒音レベル検出回路１２は信号（１０）を出力している。なお、音声信号判定レベルＬＳは、ユーザにとってそれ以下のレベルでは実質無音と感じられるレベルとするのがよい。
【００７０】
このとき、開ループゲイン切替スイッチ９の端子Ｂと端子Ｄが接続され、アンプ１０がフィードバックループに挿入された状態となっている。したがって、このときのフィードバックループの開ループゲインはＧＰ／Ｍとなっている。
【００７１】
次に、時刻ｔ１時点でユーザが音声信号再生装置３のＰＬＡＹ／ＳＴＯＰモード切替スイッチ１１をＰＬＡＹモードに切り替えると、音声信号再生装置３から補正回路４に音声信号が出力される。
【００７２】
音声信号レベルが図４の（ｂ）に示したように時刻ｔ２から時刻ｔ３の間に音声信号判定レベルＬＳを下回った場合を考える。すると音声信号レベル検出回路２２は、図４の（ｃ）に示したように時刻ｔ１以前はローレベル、時刻ｔ１からｔ２の間でハイレベル、時刻ｔ２からｔ３の間でローレベル、時刻ｔ３からｔ４の間でハイレベル、時刻ｔ４以後はローレベルの信号を出力する。時刻ｔ１以前と時刻ｔ４以後は音声信号無し、時刻ｔ２からｔ３の間は音声信号が非常に小さく、したがってこれらはフィードバック制御に起因する異音が気になる領域である。したがって本実施の形態ではこれらの領域でフィードバックループの開ループゲインを切り替えることを考える。このとき第１の実施の形態と同様に考え、周囲の騒音の大きさによって開ループゲインの大きさを切り替える。
【００７３】
しかしながら、音声信号は短時間で元の大きなレベルに戻ることも考えられるので、騒音レベル検出回路１２に所定時間Ｔ２の動作遅れをもたせると良い。これは、図４の（ｄ）の時刻ｔ２でＯＮし時間Ｔ２が経過したときＯＦＦするタイマーのタイマーＯＦＦ時の信号により切り替えるようにすればよい。このようにすると、不必要に多くの開ループゲイン切り替えがなくなるので、動作が安定する。
【００７４】
このタイマーＯＦＦ時の動作は、時刻ｔ４のＰＬＡＹモード信号の立下り時も同様である。
【００７５】
時刻ｔ３の時点で音声信号レベルが音声信号判定レベルＬＳを上回るようになると、音声信号レベル検出回路２２の出力は図４の（ｃ）に示したようにハイレベルとなるので、騒音レベル検出回路１２はこれを検出しその出力を（１１）とする。これにより開ループゲイン切替スイッチ９の端子Ａと端子Ｄが接続され、フィードバックループの開ループゲインがＧＰとなった騒音キャンセルモードで音声を再生する。なお、音声信号レベル検出信号がタイマー期間Ｔ２の間にハイレベルとなったときには、騒音レベル検出回路１２は音声信号レベル検出信号に優先して反応し騒音レベル検出信号を（１１）とする。
【００７６】
時刻ｔ４でＰＬＡＹ／ＳＴＯＰモード切替スイッチ１８が操作されＳＴＯＰモードに切り替えられると音声信号の信号レベルが音声信号判定レベルＬＳ以下になり、時刻ｔ３の場合と同様に動作する。
【００７７】
以上の説明のように本実施の形態の騒音キャンセルヘッドフォンは動作するので、周囲の騒音が小さく且つ音声の再生が停止された静かな状態、あるいは、音声信号が所定レベルを下回った状態のときにはフィードバック制御に起因する異音が小さく抑えられる。また、周囲の騒音が大きく且つ音声の再生が停止された状態では周囲の騒音が小さく抑えられる。また、音声再生時には、騒音キャンセルフィードバック制御回路が開ループゲインの大きな状態で動作しても、音声の音量に対し異音は小さいので異音は気にならない。したがって、本実施の形態によれば、ＰＬＡＹモード、ＳＴＯＰモードのどちらでも異音が気にならない騒音キャンセルヘッドフォンを提供することができる。また、周囲の騒音が大きい状態でＳＴＯＰモードにすれば耳栓代わりとすることができる。
【００７８】
以上の実施の形態において、モード信号はＰＬＡＹモードのときハイレベル、ＳＴＯＰモードのときローレベルとしたが、ハイとローを逆にした論理信号であっても実施することができる。また、制御回路部１、１９の構成は上記実施の形態の構成に限定されない。例えばフィルタ６や開ループゲイン切替スイッチ９をフィードバック側に備えたものであっても良い。また、フィードバックループの開ループゲインを変更する手段として開ループゲイン切替スイッチ９を設けたが、本発明はこれに限定されない。例えばフィルタ６のゲインを変更するようにしても良い。
【００７９】
また、音声信号レベル検出部１８が音声信号のレベルを判断するときの音声信号判定レベルＬＳの大きさにヒステリシス特性を持たせるようにするとヒステリシス幅内のレベル変化には応答しなくなり、音声信号判定レベルＬＳ付近での開ループゲイン切替スイッチ９の切り替え動作を少なくすことができるので、動作を安定化することができる。
【００８０】
また、上記実施の形態では、１つの騒音判定レベルＬＮによりフィードバックループの経路をアンプ１０、アンプ１１の２通りに切り替える例を示したが、本発明はこれに限らず、騒音レベルを複数のレベルで検出し、フィードバックループの経路を複数の経路で切り替えても良い。
【００８１】
以上、具体的な実施の形態によって本発明を説明したが、本発明は上記実施の形態に限定されず、本発明の要旨を逸脱しない範囲で変更して実施することができることは言うまでもない。
【産業上の利用可能性】
【００８２】
本発明は、フィードバック制御を利用した騒音キャンセルヘッドフォンに利用できる。
【図面の簡単な説明】
【００８３】
【図１】本発明による騒音キャンセルヘッドフォンの第１の実施の形態を示す制御回路構成図である。
【図２】本発明による、第１の実施の形態の制御動作を説明する図である。
【図３】本発明による騒音キャンセルヘッドフォンの第２の実施の形態を示す制御回路構成図である。
【図４】本発明による、第２の実施の形態の制御動作を説明する図である。
【図５】従来技術の騒音キャンセルヘッドフォンの制御回路構成例を示す図である。
【図６】従来技術の騒音キャンセルヘッドフォンの異音発生を説明する図である。
【符号の説明】
【００８４】
１、２１、３１・・・制御回路部
２・・・ヘッドフォン（音声再生部）
３、２３・・・シリコンプレーヤ（音声信号再生装置）
４・・・補正回路
５・・・信号加算部
６・・・フィルタ
７・・・ヘッドフォンアンプ
８・・・マイクアンプ
９・・・開ループゲイン切替スイッチ
１０、１１・・・アンプ
１２・・・騒音レベル検出回路
１３・・・スピーカ
１４・・・マイク
１５・・・ヘッドフォンハウジング
１６・・・バンド
１７・・・耳
１８・・・PLAY/STOPモード切替スイッチ
１９・・・PLAY/STOPモード検出部
２０・・・騒音レベル検出期間信号発生回路
２２・・・音声信号レベル検出回路
【図１】
0004505427.tif 000002
【図２】
0004505427.tif 000003
【図３】
0004505427.tif 000004
【図４】
0004505427.tif 000005
【図５】
0004505427.tif 000006
【図６】
0004505427.tif 000007